(57)【要約】【課題】多くのチャンネルで構成されているＥＰＧ表示の中から、視聴／録画予約／視聴予約したい番組を見落とすことなく、容易に見つけることができる。【解決手段】ＣＰＵは、視聴者が視聴したいチャンネルを選択すると、現在時間を取得し、前回チャンネル選択した時間からの経過時間（視聴時間）を計算し、トータル視聴時間に加算する。次に、前記ＣＰＵは、各チャンネル毎のトータル視聴時間を比較する。比較した結果、一番多く視聴しているチャンネルからＥＰＧを表示するように優先順位をつける。最後に、視聴者操作により番組情報を表示する場合、上記優先順位にそってＥＰＧを表示する。【選択図】      図３
2008172405.tif 000002
【特許請求の範囲】
【請求項１】
番組情報に基づいて画面に番組表を表示する電子番組ガイド装置であって、
番組を切り替える毎に番組の視聴時間を計測する計測手段と、
前記計測手段が計測した結果に基づいて、視聴時間の多い番組順に番組表の表示を行うＥＰＧ表示手段とを有することを特徴とする電子番組ガイド装置。
【請求項２】
切替可能な最大の番組数を記憶する手段を備え、
前記ＥＰＧ表示手段は、視聴時間の多い順に指定された番組数まで表示を行う、請求項１に記載の電子番組ガイド装置。
【請求項３】
前記ＥＰＧ表示手段は、視聴者からの指令に基づいて、番組数を増減させることで、番組表の表示を行う、請求項１に記載の電子番組ガイド装置。
【請求項４】
視聴者からの指令に基づいて番組表の並べ替えを行う表示更新間隔を記憶する手段を備え、
前記ＥＰＧ表示手段は、指定された表示更新間隔毎または視聴者の操作により各番組の視聴時間情報をリセットする、請求項１に記載の電子番組ガイド装置。
【請求項５】
番組表を表示する時のトータルの視聴時間の閾値を記憶する手段を備え、
前記ＥＰＧ表示手段は、視聴時間が前記閾値より多い番組にのみ番組表の表示を行う、請求項１に記載の電子番組ガイド装置。
【請求項６】
番組情報に基づいて画面に番組表を表示する電子番組ガイド表示方法であって、
番組を切り替える毎に番組の視聴時間を計測し、
前記計測結果に基づいて、視聴時間の多い番組順に番組表の表示を行うことを特徴とする電子番組ガイド表示方法。
【請求項７】
番組情報に基づいて画面に番組表を表示する電子番組ガイド装置を構成するコンピュータに、
番組を切り替える毎に番組の視聴時間を計測する機能と、
前記計測手段が計測した結果に基づいて、視聴時間の多い番組順に番組表の表示を行う機能とを実行させることを特徴とする電子番組ガイド装置用プログラム。
【発明の詳細な説明】
【技術分野】
【０００１】
本発明は、受信波の中に含まれる番組情報に基づいて画面に番組表を表示する電子番組ガイド装置及び電子番組ガイド方法並びに電子番組ガイドプログラムに関する。
【背景技術】
【０００２】
デジタル放送受信装置には、衛星からの電波や地上波を受信し、その受信波の中に含まれている番組情報に基づいて画面に番組表を表示する電子番組ガイド（Electronic Program Guide；以下、ＥＰＧという。）システムが組み込まれている。前記電子番組ガイドシステムは、多くのチャンネルの中から視聴／録画予約／視聴予約したい番組を探す際に便利である。
【０００３】
従来例に係るデジタル放送受信装置の一例が特許文献１に記載されている。特許文献１に係るデジタル放送受信装置は、衛星から送られてくるデジタル放送信号を受信し、指定された周波数の信号を取り出して復調したＭＰＥＧ２トランスポート・ストリームから映像音声部分とデータ部分とを分離する回路と、前記映像音声データをデジタル／アナログ変換して出力する回路と、前記データ部分から取得した番組情報に基づいて有料番組の契約状況管理や課金センターへの視聴履歴情報の伝送などを行う回路と、前記番組情報から作成したＥＰＧを映像データに重畳する回路とから構成されている。
【０００４】
特許文献１に係るデジタル放送受信装置のＥＰＧ表示（番組表の表示）は、次のように動作する。すなわち、図１０に示すように、チャンネル番号１１が小さい順に表示するのではなく、取得した番組情報から無料番組１４か有料番組１５かを判断し、有料番組１５である場合は、契約状況を確認し、契約済み番組１６であるか、或いは未契約番組１７であるかを判断する。また、視聴制限番組であれば、視聴可能年齢であるかを判断する。
【０００５】
以上のような判断をもとに、特許文献１に係るデジタル放送受信装置では図１１に示すように、縦軸に時間を、横軸にチャンネル番号と番組の種別を表示した個別のＥＰＧを作成して表示する。図１１は、無料番組のみで構成したＥＰＧの表示例である。
【特許文献１】特開２００４−３３６５９５号公報
【特許文献２】特開２００６−０５０４５５号公報
【発明の開示】
【発明が解決しようとする課題】
【０００６】
しかしながら、図１０及び図１１に基づいて説明した従来例では、次のような問題がある。
【０００７】
第１の問題点は、視聴／録画予約／視聴予約したい番組を容易に見つけることができない。その理由は、デジタル放送が多くのチャンネルで放送されているという特徴を持つため、たとえ無料番組のみの表示であっても、チャンネル数が多く、１画面に全てのチャンネル情報を表示できない。したがって、視聴／録画予約／視聴予約したい番組を探すまでに、表示画面をスクロールするなどの操作が発生する。
【０００８】
第２の問題点は、視聴／録画予約／視聴予約したい番組を見つけるまでに操作が多い。  その理由は、無料放送用／契約済み有料放送用／未契約の有料放送等に細分化してＥＰＧを表示するため、表示を切り替える操作が発生する。
【０００９】
また、特許文献２には、ＥＰＧ表示に対するスキャンを迅速に行う技術が開示されているが、特許文献２では、ＥＰＧの表示順番を入れ替えることで、視聴者が見たい番組を探し易くすることを意図していない。
【００１０】
本発明の目的は、多くのチャンネルの中から視聴／録画予約／視聴予約したい番組を簡便な操作で、容易に見つけることができる、電子番組ガイド装置及び電子番組ガイド方法並びに電子番組ガイドプログラムを提供することにある。
【課題を解決するための手段】
【００１１】
前記目的を達成するため、本発明に係る電子番組ガイド装置は、番組情報に基づいて画面に番組表を表示する電子番組ガイド装置であって、
番組を切り替える毎に番組の視聴時間を計測する計測手段と、前記計測手段が計測した結果に基づいて、視聴時間の多い番組順に番組表の表示を行うＥＰＧ表示手段とを有することを特徴とするもｂのである。
【００１２】
以上の場合、本発明は、ハードウェアとしての電子番組ガイド装置として構築したが、これに限られるものではない。本発明は、電子番組ガイド方法、或いはソフトウェアとしての電子番組ガイドプログラムとして構築してもよいものである。
【００１３】
方法として構築した本発明に係る電子番組ガイド方法は、番組情報に基づいて画面に番組表を表示する電子番組ガイド表示方法であって、
番組を切り替える毎に番組の視聴時間を計測し、前記計測結果に基づいて、視聴時間の多い番組順に番組表の表示を行う構成として構築する。
【００１４】
ソフトウェアとして構築した本発明に係る電子番組ガイドプログラムは、番組情報に基づいて画面に番組表を表示する電子番組ガイド装置を構成するコンピュータに、番組を切り替える毎に番組の視聴時間を計測する機能と、前記計測手段が計測した結果に基づいて、視聴時間の多い番組順に番組表の表示を行う機能とを実行させる構成として構築する。
【発明の効果】
【００１５】
本発明によれば、視聴／録画予約／視聴予約したい番組を容易に見つけることができる。その理由は、視聴時間の多いチャンネル順にＥＰＧの表示を並べ替えるため、普段視聴しているチャンネルのＥＰＧが先頭に表示されているためである。
【００１６】
本発明によれば、視聴／録画予約／視聴予約したい番組を見つけるまでの操作を少なくできる。
【発明を実施するための最良の形態】
【００１７】
以下、本発明の実施形態を図面を参照して詳細に説明する。
（実施形態１）
【００１８】
実施形態１に係る電子番組ガイド装置は図１に示すように、基本的構成として、計測部１と、記憶部２と、比較部３と、ＥＰＧ画像生成部４と、出力部５とを有している。
【００１９】
計測部１は、視聴者がデジタル放送の視聴を開始したことを示す情報を入力として、デジタル放送を視聴した時間をチャンネル（放送番組）毎に計測し、その計測結果を記憶部２に出力する。
【００２０】
記憶部２は、計測部１から出力される計測結果の情報と、デジタル放送信号に含まれて送信される番組情報とを記憶している。具体的に説明すると、記憶部２は図２に示すように、視聴者が視聴したチャンネル１１毎に、その番組が無料・有料のいずれであるか、有料の場合、その番組を契約済・未契約のいずれであるかを分類し、かつ、前記チャンネル毎に、視聴者がチャンネルを切り替えた時にそれまで視聴していた時間を加算したトータルの視聴時間１２と、視聴者がチャンネルを最後に切り替えた最終視聴時間１３とを対応して記憶しておき、上述した情報に変化があった場合、これらの情報を更新する。
【００２１】
比較部３は、記憶部２に記憶されているチャンネル１１毎に、トータル視聴時間１２及び最終視聴時間１３の情報を読み出し、チャンネル１１毎に、トータル視聴時間１２及び最終視聴時間１３の大小を比較し、その比較結果をＥＰＧ画像生成部４に出力する。
【００２２】
ＥＰＧ画像生成部４は、比較部３から出力される比較結果を受け取ると共に、記憶部２に記憶されている番組情報を読み出し、これらの情報に基づいてＥＰＧ（番組表）を生成する。具体的に説明すると、ＥＰＧ画像生成部４は、ＥＰＧ（番組表）の表示に優先順位を設定するため、チャンネル１１毎にトータル視聴時間１２を比較する。チャンネル１１毎のトータル視聴時間１２が同一である場合、ＥＰＧ画像生成部４は、最終視聴時間１３の情報を参照することで、最後に視聴した時間が現在の時間に近いチャンネル１１を優先することでＥＰＧの画像を生成する。さらに、最終視聴時間１３が同一である場合、ＥＰＧ画像生成部４は、チャンネル１１の情報を参照することで、チャンネル番号の小さいチャンネルを優先することでＥＰＧの画像を生成する。
【００２３】
出力部５は、ＥＰＧ画像生成部４から出力されるＥＰＧ（番組表）の画像データを、デジタル放送信号から復調した映像データに重畳させて画面に表示する。
【００２４】
次に、実施形態に係る電子番組ガイド装置の動作について説明する。
【００２５】
デジタル放送受信装置では、衛星から送られてくるデジタル放送信号を受信すると、その受信信号から指定された周波数の信号を取り出して、ＭＰＥＧ２トランスポート・ストリームを復調する。さらに、デジタル放送受信装置では、復調したＭＰＥＧ２トランスポート・ストリームから映像音声部分とデータ部分とを分離する。前記分離されたデータ部分には、番組情報が含まれている。
【００２６】
視聴者は、前記映像音声データをデジタル／アナログ変換して出力された映像音声データを視聴する。視聴者は、チャンネル操作を行うことにより、視聴するチャンネル（放送番組）を切り替える。
【００２７】
計測部１は、視聴者がデジタル放送の視聴を開始したことを示す情報、すなわち、チャンネル操作を行ったことをトリガとして、視聴者が次にチャンネルを切り替えるまで、視聴者がデジタル放送を視聴した時間をチャンネル（放送番組）毎に計測し、その計測結果を記憶部２に出力する。
【００２８】
記憶部２は、計測部１から出力される計測結果の情報と、前記デジタル放送信号から分離された番組情報とを受け取り、これらの情報を図２に示すテーブルの下で記憶する。
【００２９】
比較部３は、記憶部２に記憶されているチャンネル１１毎に、トータル視聴時間１２及び最終視聴時間１３の情報を読み出し、チャンネル１１毎に、トータル視聴時間１２及び最終視聴時間１３の大小を比較し、その比較結果をＥＰＧ画像生成部４に出力する。
【００３０】
ＥＰＧ画像生成部４は、ＥＰＧの表示に優先順位を設定するため、チャンネル１１毎にトータル視聴時間１２を比較する。チャンネル１１毎のトータル視聴時間１２が同一である場合、ＥＰＧ画像生成部４は、最終視聴時間１３の情報を参照することで、最後に視聴した時間が現在の時間に近いチャンネル１１を優先することでＥＰＧの画像を生成する。さらに、最終視聴時間１３が同一である場合、ＥＰＧ画像生成部４は、チャンネル１１の情報を参照することで、チャンネル番号の小さいチャンネルを優先することでＥＰＧの画像を生成する。
【００３１】
出力部５は、ＥＰＧ画像生成部４から出力されるＥＰＧ（番組表）の画像データを、デジタル放送信号から復調した映像データに重畳させて画面に表示する。
【００３２】
実施形態によれば、視聴者が視聴する放送番組の視聴時間の多いチャンネル順にＥＰＧの表示を並べ替えるため、放送番組の視聴時間の多いＥＰＧが先頭に表示されることとなり、視聴／録画予約／視聴予約したい放送番組を容易に見つけ出すことができる。
【００３３】
実施形態によれば、さらに、視聴／録画予約／視聴予約したい放送番組を見つけ出すまでに必要とする操作を少なくできる。
【００３４】
次に、実施形態に係る電子番組ガイド装置をデジタル放送受信装置に適用した例を図３に基づいて説明する。
【００３５】
デジタル放送受信装置は図３に示すように、アンテナ１０１と、チューナ１０２と、データ・映像音声分離処理１０３と、ＣＰＵ１０４と、ＥＰＧ画像生成部１０５と、ＯＳＤ（ＯＳＤ；Ｏｎ Ｓｃｒｅｅｎ Ｄｉｓｐｌａｙ）１０６と、出力部１０７と、リモコン１０８と、リモコン受光部１０９と、クロック回路１１０と、メモリ１１１とを有している。
【００３６】
アンテナ１０１は、屋外で所定の方向に向けて配置され、衛星或いは地上局から送られてくるデジタル放送信号を受信し、周波数変換する。
【００３７】
チューナ１０２は、アンテナ１０１で周波数変化された受信信号から、視聴者が指定した周波数の信号を取り出し、これをＭＰＥＧ２トランスポート・ストリームとして復調する。
【００３８】
データ・映像音声分離部１０３は、チューナ１０２からＭＰＥＧ２トランスポート・ストリームを受け取り、前記ＭＰＥＧ２トランスポート・ストリーム内の映像音声部分とデータ部分とを分離する。
【００３９】
ＣＰＵ１０４は、チューナ１０２と、データ・映像音声分離部１０３と、ＣＰＵ１０４と、ＥＰＧ画像生成部１０５と、ＯＳＤ（ＯＳＤ；Ｏｎ Ｓｃｒｅｅｎ Ｄｉｓｐｌａｙ）１０６と、出力部１０７と、リモコン受光部１０９と、クロック回路１１０と、メモリ１１１との動作を総合的に制御する。また、ＣＰＵ１０４は、図１に示す計測部１としての機能を実行する。
【００４０】
ＥＰＧ画像生成部１０５は、図１に示すＥＰＧ画像生成部４に相当するものであり、ＣＰＵ１０４の制御の下で、メモリ１１１から送られてくる番組情報に基づいて作成したＥＰＧの映像データを出力する。
【００４１】
ＯＳＤ１０６は、ＥＰＧ画像生成部１０５から出力されたＥＰＧ（番組表）の画像データと、データ・映像音声分離部１０３から出力された映像データとを重畳する。
【００４２】
出力部１０７は、ＯＳＤ１０６で重畳された画像データを画面上に表示する。
【００４３】
リモコン１０８は、各種キーを備え、本デジタル放送受信装置に各種指示の光信号を送出する。リモコン受光部１０９は、リモコン１０８からの光信号を受光し、電気信号に変換してＣＰＵ１０４に各種指示を与える。クロック回路１１０は、一定の速度でカウンタを更新し、時刻を管理する。メモリ１１１は、その一部の記憶領域に図１の記憶部２を設定しており、その記憶部２に、ＥＰＧの表示に用いる番組情報、各チャンネル毎の視聴時間や最終視聴時間、切替可能な最大のチャンネル数（番組数）などの情報を格納する。
【００４４】
図３に示すデジタル放送受信装置の動作を図４、図５、図６、図７及び図８を参照して詳細に説明する。
【００４５】
まず、本装置は、図４に示すように視聴者が各チャンネルを視聴した情報を保持している。この保持している情報をチャンネルが切り替わる毎に更新する。
【００４６】
例えば図５に示すように、チャンネル１１として無料チャンネル００１の放送番組を視聴していた場合、チャンネルを切り替えた時にそれまで視聴していた時間をトータル視聴時間１２に加算する。また、チャンネルを切り替えた時間を最終視聴時間１３として更新する。
【００４７】
次に、ＥＰＧの表示優先順位をつけるため、各チャンネル毎のトータル視聴時間を比較する。トータル視聴時間が同じ場合は、最後に視聴した時間が現在時間に近いチャンネルを優先する。さらに、最終視聴時間が同じ場合は、小さいチャンネル番号を優先する。この表示優先順位に沿ってＥＰＧを表示する。
【００４８】
具体的に説明すると、ＣＰＵ１０４は、視聴者が本装置の電源をオンするまで待つ（図４のステップＳ２０１；Ｎｏ）。電源がオンされたら（図４のステップＳ２０１；Ｙｅｓ）、ＣＰＵ１０４は、メモリ１１１に保存してある最後に視聴したチャンネル番号を取得する（図４のステップＳ２０２）。またＣＰＵ１０４は、クロック回路１１０から現在時刻の情報を取得し、次のチャンネル選択における視聴時間計測のために選択チャンネル番号及び時間情報を更新する（図４のステップＳ２０３）。ＣＰＵ１０４は、選択したチャンネルを表示するため、チューナ１０２に対して周波数変更を指示する（図４のステップＳ２０４）。
【００４９】
次に、ＣＰＵ１０４は、視聴者がリモコン１０８を用いた操作をするまで待つ（図４のステップＳ２０５のＮｏ）。視聴者の操作に基づいて、リモコン１０８は、選択した操作をリモコン受光部１０９に光信号で通知する。リモコン受光部１０９は、受けた光信号を電気信号に変換してＣＰＵ１０４に通知する（図４のステップＳ２０５；Ｙｅｓ）。電源オフが通知された場合（図４のステップＳ２０６；Ｙｅｓ）、ＣＰＵ１０４は、クロック回路１１０から現在時間を取得する（図４のステップＳ２０７）。
【００５０】
さらに、ＣＰＵ１０４は、図１に示す計測部１として機能することで、前回チャンネル選択した時間からの経過時間（視聴時間）を計算する（図４のステップＳ２０８）。ＣＰＵ１０４は、前回選択したチャンネルの視聴時間に今回の経過時間（視聴時間）を加算してトータル視聴時間１２を計算し、現在時間（最終視聴時間）と共にメモリ１１１に書き込む（図４のステップＳ２０９）。
【００５１】
したがって、メモリ１１１には図６に示すように、各チャンネル毎にトータル視聴時間１２および最終視聴時間１３が書き込まれる。またＣＰＵ１０４は、次回電源オン時にチャンネル表示するため、現在チャンネル番号をメモリ１１１に書き込み（図４のステップＳ２１０）、処理を終了する。
【００５２】
視聴したいチャンネルが選択された場合（図４のステップＳ２０６；Ｎｏ）、ＣＰＵ１０４は、クロック回路１１０から現在時間を取得する（図４のステップＳ２１１）。
【００５３】
さらにＣＰＵ１０４は、図１に示す計測部１として機能することで、前回チャンネル選択した時間からの経過時間（視聴時間）を計算する（図４のステップＳ２１２）。ＣＰＵ１０４は、前回選択したチャンネルの視聴時間に今回の経過時間（視聴時間）を加算してトータル視聴時間１２を計算し、現在時間（最終視聴時間）と共にメモリ１１１に書き込む（図４のステップＳ２１３）。またＣＰＵ１０４は、次のチャンネル選択における時間計測のため、選択したチャンネル番号及び時間を更新する（図４のステップＳ２１４）。
【００５４】
前記ＣＰＵ１０４では、選択したチャンネルにするため、チューナ１０２に対して指示する（図４のステップＳ２１５）。
【００５５】
視聴者操作により番組情報を表示する場合、ＣＰＵ１０４は図１の比較部３として機能することで、各チャンネル毎のトータル視聴時間１２を比較する。ＣＰＵ１０４は、比較した結果、一番多く視聴しているチャンネルから表示するように優先順位をつける。トータル視聴時間が同じ場合、ＣＰＵ１０４は、最後に視聴した時間が現在時間に近いチャンネルを優先する。さらに、最終視聴時間が同じ場合、ＣＰＵ１０４は、小さいチャンネル番号を優先する。図７に示す優先順位に沿って図８のようにＥＰＧ（番組表）を表示する。このとき、視聴者の指定が可能な最大チャンネル表示数がメモリ１１１に書き込まれていた場合は、図８に示すように、その指定されたチャンネル数までの表示となる。また、視聴者の特定操作により、表示していないチャンネルのＥＰＧを表示する。すなわち、視聴者からの指令に基づいて、番組数を増減させることで、ＥＰＧ（番組表）を表示する。
（実施形態２）
【００５６】
次に、本発明の実施形態２を図９に基づいて詳細に説明する。
【００５７】
実施形態２は、実施形態１における記憶部２としてのメモリ１１１は、視聴者からの指定が可能な表示更新間隔数が書き込まれる構成となっている。その他の構成は図３に示す構成と同様である。
【００５８】
次に、図３及び図９を参照して実施形態２の動作について詳細に説明する。
【００５９】
まず、図３に示すＣＰＵ１０４は、メモリ１１１に記憶した、視聴者の指定した表示更新間隔になるまで待つ（図９のステップＳ３０１のＮｏ）。次に、表示更新時間が経過した場合（図９のステップＳ３０１のＹｅｓ）、ＣＰＵ１０４は、メモリ１１１に書き込まれている各チャンネル毎のトータル視聴時間１２、最終視聴時間１３をリセットする（図９のステップＳ３０２）。
【００６０】
実施形態２によれば、一定周期ごとに視聴時間をリセットする構成であるため、過去に長く視聴していたが現在は視聴していないようなチャンネルの表示優先順を低くすることができる。
（実施形態３）
【００６１】
次に、本発明の実施形態３について説明する。実施形態３は、ＥＰＧの表示に視聴時間の閾値を設けることで、普段視聴しないチャンネルを表示しなくするという点に特徴を有する。
【００６２】
本発明の実施形態３では、実施形態１における記憶部２としてのメモリ１１１は、視聴者からの指定が可能なＥＰＧ（番組表）を表示する際のトータル視聴時間の閾値が書き込まれる構成になっている。
【００６３】
次に、実施形態３の動作について詳細に説明する。視聴者の操作により番組情報を表示する場合、実施形態１でも述べているとおり、ＣＰＵ１０４は、トータル視聴時間を比較し、視聴時間の長い順にＥＰＧ（番組表）を表示する。実施形態３では、ＣＰＵ１０４は、メモリ１１１に書き込まれているトータル視聴時間の閾値と視聴時間との比較を行い、前記閾値より視聴時間が多いチャンネルのみＥＰＧ（番組表）を表示するようにする。
【００６４】
実施形態３によれば、一定時間以上視聴しているチャンネルのみをＥＰＧ表示する構成である、視聴していないチャンネルのＥＰＧを表示することがなく、探したい番組を見つけやすくできるという利点を有している。
【００６５】
なお、以上説明した実施形態では、番組情報は空中線を介して伝搬される場合について説明したが、これに限られるものではない。番組情報がインターネットなどの通信網を介して伝搬される場合にも同様に適用することができるものである。また、以上の実施形態では、デジタル放送信号の番組情報を取り扱ったが、アナログ放送信号の番組情報についても同様に適用できるものである。
【産業上の利用可能性】
【００６６】
本発明によれば、デジタル放送やアナログ放送に関係なくＥＰＧを表示して、視聴／録画予約／視聴予約を行うテレビ、ビデオ、パソコン、携帯電話といった用途に適用できる。
【図面の簡単な説明】
【００６７】
【図１】本発明の実施形態１に係る電子ガイド装置の構成を示すブロック図である。
【図２】実施形態１における記憶部が記憶しているデータを図示化して示す図である。
【図３】本発明の実施形態１に係る電子番組ガイド装置を適用したデジタル放送受信装置の構成を示すブロック図である。
【図４】本発明の実施形態に係るデジタル放送受信装置の動作を示すフローチャートである。
【図５】本発明の実施形態におけるメモリ保存データを示す説明図である。
【図６】本発明の実施形態におけるメモリ保存データを示す説明図である。
【図７】本発明の実施形態におけるＥＰＧ表示例を示す説明図である。
【図８】本発明の実施形態におけるＥＰＧ表示例を示す説明図である。
【図９】本発明の実施形態２の動作を示すフローチャートである。
【図１０】未加工のＥＰＧ表示例を示す説明図である。
【図１１】従来例におけるＥＰＧ表示例を示す説明図である。
【符号の説明】
【００６８】
１  計測部
２  記憶部
３  比較部
４  ＥＰＧ画像処理部
４  出力部
【図１】
2008172405.tif 000003
【図２】
2008172405.tif 000004
【図３】
2008172405.tif 000005
【図４】
2008172405.tif 000006
【図５】
2008172405.tif 000007
【図６】
2008172405.tif 000008
【図７】
2008172405.tif 000009
【図８】
2008172405.tif 000010
【図９】
2008172405.tif 000011
【図１０】
2008172405.tif 000012
【図１１】
2008172405.tif 000013